(57)【要約】【課題】部品点数が少なくてメンテナンス性がよく、苗ストッパの作用点を低く設定することができる、苗ストッパの保持構造を備える歩行型田植機を提供する。【解決手段】苗載台６１の下部に上下回動可能に配置され、前記苗載台６１上に載置された苗マット６６の下端に当接させて、該苗マット６６の縦送りを阻止する苗ストッパ２４０を備える歩行型田植機１において、前記苗ストッパ２４０は、櫛状に形成され、前記苗ストッパ２４０の先端には、前記苗マット６６の下端に当接させる当接部２４１ａが設けられ、前記苗ストッパ２４０の基端には、前記苗載面６１ａから所定高さ位置に横架された支持部材２３０に嵌合する嵌合部２４３Ｒ・２４３Ｌ・２４４Ｒ・２４４Ｌが設けられ、前記嵌合部２４３Ｒ・２４３Ｌ・２４４Ｒ・２４４Ｌの少なくとも一側面には、前記支持部材２３０に係合して、待避位置と作用位置に保持するカム部２４５を備えるものである。【選択図】図４
2012110261.tif 000002
【特許請求の範囲】
【請求項１】
苗載台の下部に上下回動可能に配置され、前記苗載台上に載置された苗マットの下端に当接させて、該苗マットの縦送りを阻止する苗ストッパを備える歩行型田植機において、
前記苗ストッパは、櫛状に形成され、
前記苗ストッパの先端には、前記苗マットの下端に当接させる当接部が設けられ、
前記苗ストッパの基部には、前記苗載面から所定高さ位置に横架された支持部材に嵌合する嵌合部が設けられ、
前記嵌合部の少なくとも一側面には、前記支持部材に係合して、待避位置と作用位置に保持するカム部を備えることを特徴とする歩行型田植機。
【請求項２】
前記支持部材は、左右方向に横架された苗押え棒と、該苗押え棒から前記苗載面と略平行に延出された苗マット押えと、で構成され、
前記嵌合部は、前記苗押え棒に嵌合されるとともに、前記苗マット押えを跨いで配置されることを特徴とする請求項１に記載の歩行型田植機。
【請求項３】
前記カム部は、左右両側の嵌合部の左右内側面に形成され、前記苗マット押えに係合するように配置されることを特徴とする請求項２に記載の歩行型田植機。
【発明の詳細な説明】
【技術分野】
【０００１】
本発明は、苗載台の下部に上下回動可能に配置され、条止め時に前記苗載台上に載置された苗マットの下端に当接させて、該苗マットの縦送りを阻止する苗ストッパを備える歩行型田植機に関する。
【背景技術】
【０００２】
従来から、苗載台の下部に左右の支持板を設け、これら左右の支持板に支持杆を横架して、該支持杆の各条に対応する左右所定位置に苗ストッパを枢支して、該苗ストッパにより、苗マットが条毎に滑り落ちるのを防止して条止めできるように構成された歩行型田植機は公知となっている（例えば特許文献１参照）。
【先行技術文献】
【特許文献】
【０００３】
【特許文献１】実開昭６３−１６０１２０号公報
【発明の概要】
【発明が解決しようとする課題】
【０００４】
特許文献１に示す歩行型田植機においては、苗ストッパが、支点越えバネで付勢される構成とされていたために、苗ストッパを作用位置又は退避位置に保持するための構造が複雑となり、部品点数が多くなるという問題があった。また、苗ストッパが支持杆から容易に取り外せず、メンテナンス性が悪いという問題もあった。
【０００５】
本発明は、上記の如き課題を鑑みてなされたものであり、部品点数が少なくてメンテナンス性がよい、苗ストッパの位置を保持する構造を備える歩行型田植機を提供することを目的とする。
【課題を解決するための手段】
【０００６】
本発明の解決しようとする課題は以上の如くであり、次にこの課題を解決するための手段を説明する。
【０００７】
請求項１においては、苗載台の下部に上下回動可能に配置され、前記苗載台上に載置された苗マットの下端に当接させて、該苗マットの縦送りを阻止する苗ストッパを備える歩行型田植機において、前記苗ストッパは、櫛状に形成され、前記苗ストッパの先端には、前記苗マットの下端に当接させる当接部が設けられ、前記苗ストッパの基部には、前記苗載面から所定高さ位置に横架された支持部材に嵌合する嵌合部が設けられ、前記嵌合部の少なくとも一側面には、前記支持部材に係合して、待避位置と作用位置に保持するカム部を備えるものである。
【０００８】
請求項２においては、前記支持部材は、左右方向に横架された苗押え棒と、該苗押え棒から前記苗載面と略平行に延出された苗マット押えと、で構成され、前記嵌合部は、前記苗押え棒に嵌合されるとともに、前記苗マット押えを跨いで配置されるものである。
【０００９】
請求項３においては、前記カム部は、左右両側の嵌合部の左右内側面に形成され、前記苗マット押えに係合するように配置されるものである。
【発明の効果】
【００１０】
本発明の効果として、以下に示すような効果を奏する。
【００１１】
請求項１においては、苗ストッパを保持する構造が簡易となり、部品点数を少なくすることができる。また、苗ストッパは、支持部材から容易に取り外しできるので、メンテナンス性がよい。さらに、苗ストッパを上下方向に少し回動させるだけで退避位置又は作用位置に保持されので、苗ストッパの操作が簡易となる。
【００１２】
請求項２においては、嵌合部が苗押え棒に嵌合されるので、苗ストッパの作用点を低く設定することが可能となる。従って、苗ストッパに作用する作用加重に対して軽量に構成することが可能となる。また、嵌合部が苗マット押えに嵌合されるとともに、前記苗マット押えを跨いで配置されるので、苗ストッパが左右に横ずれしない。
【００１３】
請求項３においては、苗ストッパが左右に横ずれしない。また、カム部は外側にはみ出ることなく形成されるので、左右幅が大きくならない。また、係合部を別に設ける必要がなくて、構造が簡易となる。
【図面の簡単な説明】
【００１４】
【図１】本発明に係る歩行型田植機１の実施の一形態を示す右側面図。
【図２】本発明に係る歩行型田植機１の実施の一形態を示す平面図。
【図３】本発明に係る歩行型田植機１の伝動機構９を示す図。
【図４】苗載台６１の下部の左側及び右側の構成を示す平面図。
【図５】苗載台６１の下部の左右中央の構成を示す平面図。
【図６】苗載台６１の下部の構成を示す右側面図。
【図７】（ａ）右高さ調節板２５０Ｒ及び右角度調節板２６０Ｒの構成を示す斜視図。（ｂ）左高さ調節板２５０Ｌ及び左角度調節板２６０Ｌの構成を示す斜視図。
【図８】中高さ調節板２５０Ｃの構成を示す斜視図。
【図９】支持部材２３０の構成を示す斜視図。
【図１０】苗ストッパ２４０の構成を示す斜視図。
【図１１】（ａ）苗ストッパ２４０の構成を示す平面図。（ｂ）苗ストッパ２４０の構成を示す右側面図。（ｃ）Ａ−Ａの断面矢視図。（ｄ）Ｂ−Ｂの断面矢視図。
【図１２】（ａ）中左嵌合部２４４Ｌの構成を示す斜視図。（ｂ）左嵌合部２４３Ｌの構成を示す斜視図。（ｃ）左嵌合部２４３Ｌの構成を示す右側面図。
【図１３】（ａ）苗ストッパ２４０の作用位置の右側面図。（ｂ）苗ストッパ２４０の退避位置の右側面図。
【図１４】（ａ）支持部材２３０を保持部２６１ａで保持する場合の右側面図。（ａ）支持部材２３０を保持部２６１ｂで保持する場合の右側面図。
【図１５】（ａ）支持部材２３０を保持部２５２ｄで保持する場合の右側面図。（ａ）支持部材２３０を保持部２５２ａで保持する場合の右側面図。
【発明を実施するための形態】
【００１５】
以下では、図１から図３を用いて、本発明に係る歩行型田植機の実施の一形態である歩行型田植機１の全体構成について説明する。
【００１６】
本実施形態の歩行型田植機１は、いわゆる四条植えの歩行型田植機である。歩行型田植機１は、機体２と、エンジン３と、左車輪４Ｌと、右車輪４Ｒと、植付装置５と、苗供給装置６と、センターフロート７Ｃと、左サイドフロート７Ｌと、右サイドフロート７Ｒと、操作部８と、伝動機構９と、等を備える。
【００１７】
機体２は、歩行型田植機１の主たる構造体を成す部材群である。機体２は、エンジン台２１と、該エンジン台２１の前端部に固定されるバンパー２２と、前記エンジン台２１の後端部に固定されるミッションケース２３と、該ミッションケース２３の後端部に固定されるセンターフレーム２４と、前記ミッションケース２３の左側面及び右側面にそれぞれ回動可能に支持される左車軸ケース２５Ｌ及び右車軸ケース２５Ｒと、前記ミッションケース２３の左側面及び右側面に固定される左側方フレーム２６Ｌ及び右側方フレーム２６Ｒと、前記センターフレーム２４の後端部に固定される中央植付ケース２７Ｃと、前記左側方フレーム２６Ｌ及び右側方フレーム２６Ｒの後端部にそれぞれ固定される左植付ケース２７Ｌ及び右植付ケース２７Ｒと、これら左植付ケース２７Ｌ及び右植付ケース２７Ｒの後端部にそれぞれ固定される左後フレーム２８Ｌ及び右後フレーム２８Ｒと、で主に構成される。
【００１８】
エンジン３は、歩行型田植機１の駆動源である。エンジン３は、機体２の前部に搭載される。本実施形態のエンジン３はガソリンエンジンであり、エンジン台２１の上面の後部に固定される。エンジン３の右側方には、リコイルスタータ１１０のリコイルケース３１が設けられる。
【００１９】
左車輪４Ｌ及び右車輪４Ｒは、歩行型田植機１の駆動輪である。左車輪４Ｌは、前記左車軸ケース２５Ｌの後端部に軸支され、右車輪４Ｒは、前記右車軸ケース２５Ｒの後端部に軸支される。
【００２０】
植付装置５は、苗の植え付けを行う装置である。本実施形態の植付装置５は、クランク式の植付装置であり、左植付アーム５２Ｌ、中央左植付アーム５１Ｌ、中央右植付アーム５１Ｒ及び右植付アーム５２Ｒを備え、左から順に間隔を空けて並んだ状態で配置される。中央左植付アーム５１Ｌ及び中央右植付アーム５１Ｒは、前記中央植付ケース２７Ｃに回転可能に軸支され、左植付アーム５２Ｌは、前記左植付ケース２７Ｌに回転可能に軸支され、右植付アーム５２Ｒは、前記右植付ケース２７Ｒに回転可能に軸支される。
【００２１】
苗供給装置６は、植付装置５に苗を供給する装置である。苗供給装置６は、苗載台６１と、縦送り装置６２と、横送り装置６３と、予備苗台６４と、を備える。
【００２２】
苗載台６１は、植付装置５に供給する苗を載置する台である。苗載台６１は前下がりに傾斜した苗載面６１ａを有する板状の部材であり、後述するハンドルフレーム８１に左右方向に固定された上苗台レール８１ａおよび下苗台レール８１ｂの上を左右に摺動可能に載置される。苗載面６１ａには、条数分の苗マット６６（床土、レキメンマット等のマット状物の上に種子を蒔いて発芽させることにより苗の根をマット状物に絡ませたもの）が載置される（図４参照）。苗載台６１の前端部は、前記左植付アーム５２Ｌ、中央左植付アーム５１Ｌ、中央右植付アーム５１Ｒ及び右植付アーム５２Ｒの上方となる位置に配置される。
【００２３】
縦送り装置６２は、苗載面６１ａに載置された苗マット６６を、苗載台６１の前端部に搬送する（縦送りする）装置である。縦送り装置６２は、苗載台６１の前下部であって、苗載面６１ａの反対側の面（裏面）に設けられる。縦送り装置６２は、苗載面６１ａから突出するローラ６２ａを備え、苗載台６１が左右往復ストローク端に到達するごとに、ローラ６２ａを作動させて、苗載台６１上の苗マット６６を下方へ向かって搬送するように構成される。
【００２４】
横送り装置６３は、苗載台６１を左右に往復駆動させるものである。横送り装置６３は、苗載台６１の前下方に配置される。横送り装置６３は、外周面にネジ状の溝（ネジ溝）を有する横送り軸６３ａと、該ネジ溝に外嵌される滑子受け６３ｂと、を備え、該滑子受け６３ｂが前記苗載台６１に固設される。
【００２５】
予備苗台６４は、苗載台６１に供給するための予備苗（予備の苗マット）を載置するための台である。予備苗台６４は機体２に固定され、苗載台６１の前方かつ機体２の上方となる位置に配置される。
【００２６】
センターフロート７Ｃ、左サイドフロート７Ｌおよび右サイドフロート７Ｒは、歩行型田植機１に浮力を付与するものである。センターフロート７Ｃは、機体２の左右中央かつ下方となる位置に配置され、機体２の左右中央部かつ後下部となる位置に回動可能に連結される。左サイドフロート７Ｌは機体２の下方かつ左後寄りとなる位置に配置され、機体２の左後下部となる位置に回動可能に連結される。右サイドフロート７Ｒは機体２の下方かつ右後寄りとなる位置に配置され、機体２の右後下部となる位置に回動可能に連結される。
【００２７】
操作部８は、作業者が歩行型田植機１の各部を操作するためのものである。操作部８はハンドルフレーム８１と、主クラッチレバーと、走行変速レバー８２と、株間変速レバーと、左サイドクラッチレバー８３Ｌと、右サイドクラッチレバー８３Ｒと、植付クラッチレバーと、リコイル握り８４と、等を備える。
【００２８】
ハンドルフレーム８１は、操作部８の主たる構造体であり、機体２の後部に固定される。ハンドルフレーム８１は、中央植付ケース２７Ｃから後斜め上方に延出されて、予備苗台６４の後方に配置される。ハンドルフレーム８１の上部は、左右方向に延出されるとともに、後方に向けて湾曲され、その左右両端に作業者が握るグリップが装着される。ハンドルフレーム８１の下部は、左右方向に延出されて、その左端が、前記左後フレーム２８Ｌの後端部に固定され、その右端が、右後フレーム２８Ｒの後端部に固定される。
【００２９】
伝動機構９は、エンジン３において発生した駆動力を、左車輪４Ｌ、右車輪４Ｒ、植付装置５及び苗供給装置６に伝達するための機構である。図３に示すように、伝動機構９は、主クラッチ機構９ａ、走行変速機構９ｂ、株間変速機構９ｃ、左サイドクラッチ機構９ｄ、右サイドクラッチ機構９ｅ及び植付クラッチ機構９ｆ等を備え、これらは、主クラッチ機構９ａを除き、ミッションケース２３に収納される。
【００３０】
このような歩行型田植機１においては、エンジン３の動力が主クラッチ機構９ａを介して、ミッションケース２３に伝達される。そして、ミッションケース２３に伝達された動力が、走行変速機構９ｂで変速された後に、左サイドクラッチ機構９ｄ及び右サイドクラッチ機構９ｅを介して、左車輪４Ｌ及び右車輪４Ｒにそれぞれ伝達されて、左車輪４Ｌ及び右車輪４Ｒが回転駆動する。これにより、歩行型田植機１が前進又は後進走行可能とされる。
【００３１】
また、ミッションケース２３に伝達された動力が、株間変速機構９ｃで変速された後、植付クラッチ機構９ｆを介して、左植付ケース２７Ｌ、中央植付ケース２７Ｃ、右植付ケース２７Ｒにそれぞれ伝達されて、左植付アーム５２Ｌ、中央左植付アーム５１Ｌ、中央右植付アーム５１Ｒ及び右植付アーム５２Ｒが回転作動する。これにより、左植付アーム５２Ｌ、中央左植付アーム５１Ｌ、中央右植付アーム５１Ｒ及び右植付アーム５２Ｒは、苗載台６１の前端部に載置された苗マット６６から所定量の苗を切り取り、切り取られた苗を水田に移植する一連の作業を行うことにより、苗を水田に植え付ける。
【００３２】
また、エンジン３の動力が中央植付ケース２７Ｃから横送り装置６３に伝達されて、横送り軸６３ａが回動作動するように構成される。これにより、横送り軸６３ａの回転作動にともなって滑子受け６３ｂがネジ溝に沿って左右に摺動して、この滑子受け６３ｂとともに苗載台６１が左右方向に摺動する。そして、苗載台６１が左右往復ストローク端に到達すると、ローラ６２ａが作動して、苗マット６６が縦送りされて適切な位置に移動することとなる。
【００３３】
以下では、図４から図１５を用いて、苗載台６１の下部の構成について詳細に説明する。なお、以下の説明において、矢印Ｆを前方向、矢印Ｂを後方向、矢印Ｌを左方向、矢印Ｒを右方向、矢印Ｕを上方向、矢印Ｄを下方向として規定する。
【００３４】
図４から図８に示すように、苗載台６１の下部には、左支持板２１０Ｌ及び右支持板２１０Ｒと、苗押え板２２０と、支持部材２３０と、各条に対応する四つの苗ストッパ２４０・２４０・２４０・２４０と、左高さ調節板２５０Ｌ、中高さ調節板２５０Ｃ及び右高さ調節板２５０Ｒと、左角度調節板２６０Ｌ及び右角度調節板２６０Ｒと、が設けられる。
【００３５】
左支持板２１０Ｌ及び右支持板２１０Ｒは、苗押え板２２０、支持部材２３０及び前記縦送り装置６２のローラ６２ａを支持するものである。左支持板２１０Ｌ及び右支持板２１０Ｒは、それぞれ側面視略長方形状であり、左右対称に構成される。左支持板２１０Ｌは、苗載台６１の下部の左側に、苗載面６１ａと垂直となるように立設される。右支持板２１０Ｒは、苗載台６１の下部の右側に、苗載面６１ａと垂直となるように立設される。これら左支持板２１０Ｌ及び右支持板２１０Ｒの後部には、前記縦送り装置６２のローラ６２ａが軸支される。
【００３６】
苗押え板２２０は、苗の倒れを防止するものである。苗押え板２２０は、略長方形状で、苗載台６１の左右幅と同程度の幅を有し、苗載面６１ａに対して略垂直に配置される。苗押え板２２０の左右両端は、前記左支持板２１０Ｌ及び右支持板２１０Ｒの前下部に設けられた側面視略Ｌ字状の左右のステー２２１Ｌ・２２１Ｒに固定される。苗押え板２２０の左右中途部は、苗載台６１の下部の左右中央側に設けられた側面視略Ｌ字状の支持フレーム２２２に固定され、苗押え板２２０の左側の中途部及び右側の中途部は、それぞれ苗載台６１の下部に立設された左支持アーム６５Ｌ（図２参照）及び右支持アーム６５Ｒに固定される。
【００３７】
支持部材２３０は、苗ストッパ２４０・２４０・２４０・２４０を支持するものであり、かつ、苗の倒れを防止する機能と、苗マット６６の崩れ落ちを防止する機能と、を有する。図９に示すように、支持部材２３０は、苗押え棒２３１と、苗マット押え２３２と、で構成される。
【００３８】
苗押え棒２３１は、苗の倒れを防止するものである。苗押え棒２３１は、左右方向を軸心方向とする棒状で、前記苗押え板２２０と同程度の幅を有し、前記苗押え板２２０の後下方に配置される。苗押え棒２３１は、左支持板２１０Ｌ及び右支持板２１０Ｒの間で、苗載面６１ａから所定高さ位置に横架される。苗押え棒２３１は、後述するように、左高さ調節板２５０Ｌ及び右高さ調節板２５０Ｒ等により、苗載面６１ａに対する高さが調節可能とされる。
【００３９】
苗マット押え２３２は、苗マット６６の崩れ落ちを防止するものである。各条に対応するそれぞれの苗マット押え２３２は、前記苗押え棒２３１から、苗載面６１ａと略平行に上方へ延設される。苗マット押え２３２は、基端側で側面視略Ｌ字状に屈曲されて、苗マット６６の下端部側から確実に押圧するように構成されるとともに、その先端が上方に向けてやや湾曲される。
【００４０】
一つの条に対して、三つの苗マット押え２３２Ｌ・２３２Ｃ・２３２Ｒが、苗押え棒２３１の左右位置に所定間隔を空けて配置され、これら三つの苗マット押え２３２Ｌ・２３２Ｃ・２３２Ｒのうち、左側に配置された左苗マット押え２３２Ｌ及び右側に配置された右苗マット押え２３２Ｒは、中央側に配置された中苗マット押え２３２Ｃよりも長く形成される。苗マット押え２３２は、後述するように、左角度調節板２６０Ｌ及び右角度調節板２６０Ｒ等により、苗載面６１ａに対する角度が調節可能とされる。
【００４１】
苗ストッパ２４０は、縦送り装置６２による苗マット６６の縦送りを阻止するものである。苗ストッパ２４０は、プラスチック等の合成樹脂で構成される。各条に対応する四つの苗ストッパ２４０・２４０・２４０・２４０が、前記苗押え棒２３１の前上方で、左右方向に所定間隔を空けて配置される（図２参照）。図１０及び図１１に示すように、各苗ストッパ２４０は、四つの突出部２４１・２４１・２４１・２４１を有する櫛状に形成され、その先端（後端）部が、側面視略逆Ｖ字状に屈曲されて、前記苗マット６６の下端と当接する当接部２４１ａ・２４１ａ・２４１ａ・２４１ａが設けられる。
【００４２】
各苗ストッパ２４０の基部２４２（前部）には、前記苗押え棒２３１と嵌合する嵌合部が前下方（突出部２４１と反対方向）に突出して設けられる。本実施形態においては、嵌合部は、左嵌合部２４３Ｌと、中左嵌合部２４４Ｌと、中右嵌合部２４４Ｒと、右嵌合部２４３Ｒと、で構成され、これらが左右方向に所定間隔を空けて順次配置される。
【００４３】
左嵌合部２４３Ｌ及び右嵌合部２４３Ｒは、苗ストッパ２４０に対して左右対称に構成され、同様に、中左嵌合部２４４Ｌ及び中右嵌合部２４４Ｒは、苗ストッパ２４０に対して、左右対称に構成される。ここでは、左嵌合部２４３Ｌ及び中左嵌合部２４４Ｌの説明を行い、右嵌合部２４３Ｒ及び中右嵌合部２４４Ｒの説明は省略する。
【００４４】
図１１（ａ）、図１１（ｃ）及び図１２（ａ）に示すように、中左嵌合部２４４Ｌは、一片２４４Ｌａと他片２４４Ｌｂとにより下方が開放されるように側面視略Ｕ字状に構成される。平面視において、一片２４４Ｌａは、基部２４２の前部から長手方向に延出されて、内側（左側）に配置される。他片２４４Ｌｂは、基部２４２の後部から長手方向に延出されて、外側（右側）に配置される。これら一片２４４Ｌａと他片２４４Ｌｂとで囲まれた空間に嵌合孔２４４Ｌｃが形成され、該嵌合孔２４４Ｌｃに、前記苗押え棒２３１が嵌合されて、苗ストッパ２４０がこの苗押え棒２３１に、上下方向に回動可能に枢支される。
【００４５】
図１１（ａ）、図１１（ｄ）、図１２（ｂ）及び図１２（ｃ）に示すように、左嵌合部２４３Ｌは、一片２４３Ｌａと他片２４３Ｌｂとにより下方が開放されるように側面視略Ｕ字状に構成される。一片２４３Ｌａは、基部２４２の前部から長手方向に延出される。他片２４３Ｌｂは、基部２４２の後部から長手方向に延出される。これら一片２４３Ｌａと他片２４３Ｌｂとで囲まれた空間に嵌合孔２４３Ｌｃが形成され、該嵌合孔２４３Ｌｃに、前記苗押え棒２３１が嵌合されて、苗ストッパ２４０がこの苗押え棒２３１に、上下方向に回動可能に枢支される。
【００４６】
このように、苗ストッパ２４０の嵌合部（左嵌合部２４３Ｌ、中左嵌合部２４４Ｌ、中右嵌合部２４４Ｒ及び右嵌合部２４３Ｒ）は、苗押え棒２３１に嵌合されるので、苗ストッパ２４０の作用点を低く設定することが可能となる。従って、苗ストッパ２４０に作用する苗マット６６の作用加重に対して軽量に構成することが可能となり、ひいては歩行型田植機１の軽量化が可能となる。
【００４７】
更に、図４に示すように、左嵌合部２４３Ｌ、中左嵌合部２４４Ｌ、中右嵌合部２４４Ｒ及び右嵌合部２４３Ｒは、左苗マット押え２３２Ｌ、中苗マット押え２３２Ｃ及び右苗マット押え２３２Ｒを跨いで配置されるので、苗ストッパ２４０が苗押え棒２３１に対して左右に横ずれしない。
【００４８】
なお、図１２（ｃ）に示すように、内側に配置された中左嵌合部２４４Ｌの嵌合孔２４４Ｌｃは、外側に配置された左嵌合部２４３Ｌの嵌合孔２４３ｃよりも大きく形成され、かつ、図１２（ａ）に示すように、この嵌合孔２４４Ｌｃを形成する一片２４４Ｌａと他片２４４Ｌｂとが、左右にずれた位置に配置されるので、苗ストッパ２４０の着脱が容易となる。
【００４９】
また、左嵌合部２４３Ｌ及び右嵌合部２４３Ｒの内側側面には、カム部２４５が形成される。カム部２４５は、前記苗押え棒２３１に当接して苗押え棒２３１に対する苗ストッパ２４０の位置を保持するものである。左嵌合部２４３Ｌについて説明すると、カム部２４５は、左嵌合部２４３Ｌの右側面に設けられた、なだらかな傾斜面を有する二つの凸部２４５ａ・２４５ｂで構成され、凸部２４５ａが苗ストッパ２４０の先端側に配置され、凸部２４５ｂが、苗ストッパ２４０の基端側に配置される。凸部２４５ａと凸部２４５ｂとの間には、前記苗マット押え２３２が係合する凹部２４５ｃが形成される。また、凸部２４５ａと基部２４２との間には、前記苗マット押え２３２が係合する凹部２４５ｄが形成される。
【００５０】
そして、図１３（ａ）に示すように、苗ストッパ２４０が下方（右側面視において反時計方向）に回動されると、左嵌合部２４３Ｌ及び右嵌合部２４３Ｒのカム部２４５・２４５の凹部２４５ｃ・２４５ｃに、左苗マット押え２３２Ｌ及び右苗マット押え２３２Ｒの基端側が係合して、苗ストッパ２４０の先端が苗載面６１ａと当接する作用位置となり、この位置で保持されることとなる。この際、苗ストッパ２４０の当接部２４１ａ・２４１ａ・２４１ａは、苗載面６１ａに対して略垂直となる。こうして、縦送り装置６２が駆動して、ローラ６２ａにより苗マット６６が縦送りされた場合であっても、当接部２４１ａ・２４１ａ・２４１ａが苗マット６６の下端と当接して、苗マット６６の縦送りを阻止することとなる。
【００５１】
そして、図１３（ｂ）に示すように、苗ストッパ２４０が上方（右側面視において時計方向）に回動されると、左嵌合部２４３Ｌ及び右嵌合部２４３Ｒのカム部２４５・２４５の凹部２４５ｃ・２４５ｃに、左苗マット押え２３２Ｌ及び右苗マット押え２３２Ｒの基端側が係合して、苗ストッパ２４０の当接部２４１ａ・２４１ａ・２４１ａが苗載面６１ａから離間し、苗マット６６が通過可能な退避位置となり、この位置で保持される。こうして、縦送り装置６２が駆動すると、ローラ６２ａにより苗マット６６が縦送りされることとなる。
【００５２】
また、前記カム部２４５・２４５は、左右両側の左嵌合部２４３Ｌ及び右嵌合部２４３Ｒの左右内側面に形成されるので、苗ストッパ２４０が苗押え棒２３１に対して左右に横ずれしない。また、カム部２４５・２４５が外側にはみ出ることなく、左右幅が大きくならない。また、カム部２４５・２４５は、支持部材２３０の苗マット押え２３２Ｌ・２３２Ｒに係合するため、作用位置および退避位置で保持するための係合部を別に設ける必要がなく、構造が簡単となる。なお、前記カム部２４５・２４５は、左右両側の左嵌合部２４３Ｌ及び右嵌合部２４３Ｒの左右外側面に形成されることも可能である。
【００５３】
左高さ調節板２５０Ｌ、中高さ調節板２５０Ｃ及び右高さ調節板２５０Ｒは、苗載面６１ａに対する前記苗押え棒２３１の高さを調節するものである。左高さ調節板２５０Ｌ、中高さ調節板２５０Ｃ及び右高さ調節板２５０Ｒは、図７（ａ）、図７（ｂ）及び図８に示すように、それぞれ同形状に形成される。
【００５４】
図４及び図７（ｂ）に示すように、左高さ調節板２５０Ｌは、左支持板２１０Ｌの内側側面（右側面）に配置され、二つのボルト２５３・２５３により、左支持板２１０Ｌの前下部に固設される。図５及び図８に示すように、中高さ調節板２５０Ｃは、支持フレーム２２２の右側面に配置され、二つのボルト２５３・２５３により押えバネ２５４とともに、支持フレーム２２２の後下方に設けられた取付部材２５５に固設される。図４及び図７（ａ）に示すように、右高さ調節板２５０Ｒは、右支持板２１０Ｒの内側側面（左側面）に配置され、二つのボルト２５３・２５３により、右支持板２１０Ｒの前下部に固設される。
【００５５】
左高さ調節板２５０Ｌ、中高さ調節板２５０Ｃ及び右高さ調節板２５０Ｒは、側面視略Ｕ字状に形成され、上部の前後両側にボルト孔が開口されて、前記ボルト２５３・２５３を挿通可能し、下部の前側に貫通孔が開口されて、前記支持杆２５１を支持可能としている。つまり、左高さ調節板２５０Ｌ、中高さ調節板２５０Ｃ及び右高さ調節板２５０Ｒの下部の前側に支持杆２５１が横架されている。
【００５６】
左高さ調節板２５０Ｌ、中高さ調節板２５０Ｃ及び右高さ調節板２５０Ｒは、側面視略Ｌ字状に開口された長孔２５２が設けられ、該長孔２５２の下部が波状に形成されて、前記苗押え棒２３１の高さを保持するための複数（本実施形態では四つ）の保持部２５２ａ・２５２ｂ・２５２ｃ・２５２ｄが形成される。そして、左高さ調節板２５０Ｌの長孔２５２には、苗押え棒２３１の左端が挿嵌され、中高さ調節板２５０Ｃの長孔２５２には、苗押え棒２３１の左右中央部が挿嵌され、右高さ調節板２５０Ｒの長孔２５２には、苗押え棒２３１の右端が挿嵌され、苗押え棒２３１は、押えバネ２５４により前下方に付勢されて、保持部２５２ａ・２５２ｂ・２５２ｃ・２５２ｄのいずれかの位置で苗押え棒２３１が回動可能に支持される。
【００５７】
左角度調節板２６０Ｌ及び右角度調節板２６０Ｒは、苗押え棒２３１の角度を調節するものであり、ひいては苗載面６１ａに対する苗マット押え２３２の角度を調節するものである。図７（ａ）及び（ｂ）に示すように、左角度調節板２６０Ｌ及び右角度調節板２６０Ｒは、それぞれ同形状で側面視で略扇状に形成される。左角度調節板２６０Ｌの円弧の中心部には、前記苗押え棒２３１の左端が挿嵌され、右角度調節板２６０Ｒの円弧の中心部には、前記苗押え棒２３１の右端が挿嵌され、図９に示すように、これらが苗押え棒２３１と一体的に固設される。
【００５８】
図７（ａ）及び（ｂ）に示すように、左角度調節板２６０Ｌ及び右角度調節板２６０Ｒの外周側には、長孔２６１が形成され、該長孔２６１の外周側内面が波状に形成されて、左調節ノブ２６２Ｌ及び右調節ノブ２６２Ｒの位置を保持するための複数（本実施形態では四つ）の保持部２６１ａ・２６１ｂ・２６１ｃ・２６１ｄが形成される。
【００５９】
図７（ｂ）に示すように、左角度調節板２６０Ｌは、左支持板２１０Ｌの外側側面（左側面）に配置され、その長孔２６１に外側（左側）から左調節ノブ２６２Ｌが挿嵌されるとともに、該左調節ノブ２６２Ｌが左支持板２１０Ｌの前後中途部の上部に設けられた取付部材２６３に螺嵌して固設される。同様に、図７（ａ）に示すように、右角度調節板２６０Ｒは、右支持板２１０Ｒの外側側面（右側面）に配置され、その長孔２６１に外側（右側）から右調節ノブ２６２Ｒが挿嵌されるとともに、該右調節ノブ２６２Ｒが右支持板２１０Ｒの前後中途部の上部に設けられた取付部材２６３に螺嵌して固設される。なお、前記取付部材２６３・２６３は、左支持板２１０Ｌ及び右支持板２１０Ｒに溶接等で固設されている。
【００６０】
このような苗載台６１の下部において、図１４（ａ）及び図１４（ｂ）に示すように、苗押え棒２３１及び苗マット押え２３２（支持部材２３０）の角度を調節する場合は、左調節ノブ２６２Ｌ及び右調節ノブ２６２Ｒを緩めて、苗押え棒２３１を中心に左角度調節板２６０Ｌ及び右角度調節板２６０Ｒを回動し、左角度調節板２６０Ｒ及び右角度調節板２６０Ｌと一体的に構成される苗押え棒２３１及び苗マット押え２３２が所望の角度となる保持部２６１ａ・２６１ｂ・２６１ｃ・２６１ｄのいずれかの位置で保持させた状態で、左調節ノブ２６２Ｌ及び右調節ノブ２６２Ｒを締付固設する。
【００６１】
こうして、苗マット６６上の苗丈に合わせて、苗押え棒２３１の高さが調節可能とされ、この際、条毎に苗マット押え２３２を調節する必要がなく、苗マット押え２３２の高さ調節が手間とならない。また、各条の苗マット押え２３２の高さを同一に揃えることが簡易となる。また、苗マット６６の厚さに対する調節を行うことで、苗押え棒２３１の高さ調節も同時に行えるので、調節が容易となる。
【００６２】
また、図１５（ａ）及び図１５（ｂ）に示すように、苗押え棒２３１及び苗マット押え２３２（支持部材２３０）の高さを変更する場合には、左調節ノブ２６２Ｌ及び右調節ノブ２６２Ｒを緩めて、苗押え棒２３１を上下方向に移動し、所望の高さ位置となる保持部２５２ａ・２５２ｂ・２５２ｃ・２５２ｄのいずれかの位置で保持させ、苗マット押え２３２の角度も調整して、左調節ノブ２６２Ｌ及び右調節ノブ２６２Ｒを締付固設する。
【００６３】
こうして、苗マット６６の厚さに合わせて、苗マット押え２３２の角度が調節可能とされ、苗マット押え２３２を適切な位置に配置でき、確実に苗マット６６の崩れ落ちを防止できる。また、苗マット６６の取出しが容易となる。
【００６４】
また、前記左調節ノブ２６２Ｌ及び右調節ノブ２６２Ｒは、前記支持板２１０Ｒ・２１０Ｌの外側に着脱可能に取り付けられるので、分解が容易で、メンテナンスが容易となる。また、苗押え棒２３１の高さや角度の調節時に苗マット６６の葉が邪魔とならず、調節が容易となる。
【００６５】
また、左調節ノブ２６２Ｌ、右調節ノブ２６２Ｒ、ボルト２５３・２５３・・・、左角度調節板２６０Ｌ、右角度調節板２６０Ｒ、左高さ調節板２５０Ｌ、中高さ調節板２５０Ｃ及び右高さ調節板２５０Ｒを外すことにより、苗押え棒２３１及び苗マット押え２３２を外すことができ、メンテナンスが容易にできる。
【００６６】
以上のように、本発明の一実施形態に係る歩行型田植機１においては、苗載台６１の下部に上下回動可能に配置され、前記苗載台６１上に載置された苗マット６６の下端に当接させて、該苗マット６６の縦送りを阻止する苗ストッパ２４０を備える歩行型田植機１において、前記苗ストッパ２４０は、櫛状に形成され、前記苗ストッパ２４０の先端には、前記苗マット６６の下端に当接させる当接部２４１ａが設けられ、前記苗ストッパ２４０の基端には、前記苗載面６１ａから所定高さ位置に横架された支持部材２３０に嵌合する嵌合部２４３Ｒ・２４３Ｌ・２４４Ｒ・２４４Ｌが設けられ、前記嵌合部２４３Ｒ・２４３Ｌ・２４４Ｒ・２４４Ｌの少なくとも一側面には、前記支持部材２３０に係合して、待避位置と作用位置に保持するカム部２４５を備えるものである。これにより、苗ストッパ２４０を保持する構造が簡易となり、部品点数を少なくすることができる。また、製作が容易となる。また、苗ストッパ２４０は、支持部材となる苗押え棒２３１から容易に取り外しできるので、メンテナンス性がよい。さらに、苗ストッパ２４０を上下方向に少し回動させるだけで退避位置又は作用位置に保持されるので、苗ストッパ２４０の操作が簡易となる。
【００６７】
また、前記支持部材２３０は、左右方向に横架された苗押え棒２３１と、該苗押え棒２３１から前記苗載面６１ａと略平行に延出された苗マット押え２３２と、で構成され、前記嵌合部２４３Ｒ・２４３Ｌは、前記苗押え棒２３１に嵌合されるとともに、前記苗マット押え２３２を跨いで配置されるものである。これにより、嵌合部２４３Ｒ・２４３Ｌが苗押え棒２３１に嵌合されるので、苗ストッパ２４０の作用点を低く設定することが可能となる。従って、苗ストッパ２４０に作用する作用加重に対して軽量に構成することが可能となる。また、嵌合部２４３Ｒ・２４３Ｌ・２４４Ｒ・２４４Ｌが前記苗マット押え２３２Ｒ・２３２Ｃ・２３２Ｌを跨いで配置されるので、苗ストッパ２４０が苗押え棒２３１に対して左右に横ずれしない。
【００６８】
また、前記カム部２４５・２４５は、左右両側の嵌合部２４３Ｒ・２４３Ｌの左右内側面に形成され、前記苗マット押え２３２Ｒ・２３２Ｌに係合するように配置されるものである。これにより、苗ストッパ２４０が左右に横ずれしない。また、カム部２４５・２４５は外側にはみ出ることなく形成されるので、左右幅が大きくならない。また、係合部を別に設ける必要がなくて、構造が簡易となる。
【００６９】
以上のように、本発明の一実施形態に係る歩行型田植機１においては、苗載台６１の下部から苗載面６１ａと略平行に上方へ延設されて、前記苗載面６１ａに載置された苗マット６６を押さえて、該苗マット６６の崩れ落ちを防止する苗マット押え２３２を備える歩行型田植機１において、前記苗マット押え２３２は、前記苗載面６１ａから所定高さ位置に横架された苗押え棒２３１から延設されるものである。これにより、苗マット押え２３２の高さを調節することで、苗押え棒２３１の高さの調節が可能となり、調節が手間とならない。また、複数条の苗マット押え２３１・２３１・・・を一体とすることで、条毎に苗マット押え２３１の高さを調節する必要がなく、高さ調節が手間とならない。さらに、苗マット押え２３１の高さを同一に揃えることが簡易となる。苗マット押え２３２を簡単な構成とすることができ、コスト低減化が図れる。
【００７０】
また、前記苗押え棒２３１は、複数条備える前記苗載台６１の左右両側に立設した支持板２１０Ｒ・２１０Ｌに、回動可能に支持されるとともに、前記苗載面６１ａに対し、高さ及び角度を調節可能に取り付けられるものである。これにより、苗押え棒２３１の高さ及び角度が調節可能であるので、苗マット押え２３１を適切な位置に配置でき、確実に苗マットの崩れ落ちを防止できる。また、苗マット６６の取出しが容易となる。
【００７１】
また、前記苗押え棒２３１の高さ及び角度を調節する調節部材となる左調節ノブ２６２Ｌ及び右調節ノブ２６２Ｒは、前記支持板２１０Ｒ・２１０Ｌの外側に着脱可能に取り付けられるものである。これにより、分解が容易で、メンテナンスが容易にできる。また、苗押え棒２３１の高さや角度の調節時に苗マット６６の葉が邪魔にならない。
【符号の説明】
【００７２】
１        歩行型田植機
６１      苗載台
６１ａ    苗載面
６６      苗マット
２１０Ｒ  右支持板
２１０Ｌ  左支持板
２３０    支持部材
２３１    苗押え棒
２３２    苗マット押え
２４０    苗ストッパ
２４１    突出部
２４１ａ  当接部
２４２    基部
２４３Ｒ  右嵌合部
２４３Ｌ  左嵌合部
２４４Ｒ  中右嵌合部
２４４Ｌ  中左嵌合部
２４５    カム部
２４５ｃ  凹部（作用位置）
２４５ｄ  凹部（退避位置）
２５０Ｒ  右高さ調節板
２５０Ｃ  中高さ調節板
２５０Ｌ  左高さ調節板
２６０Ｒ  右角度調節板
２６０Ｌ  左角度調節板
２６２Ｒ  右調節ノブ（調節部材）
２６２Ｌ  左調節ノブ（調節部材）
【図１】
2012110261.tif 000003
【図２】
2012110261.tif 000004
【図３】
2012110261.tif 000005
【図４】
2012110261.tif 000006
【図５】
2012110261.tif 000007
【図６】
2012110261.tif 000008
【図７】
2012110261.tif 000009
【図８】
2012110261.tif 000010
【図９】
2012110261.tif 000011
【図１０】
2012110261.tif 000012
【図１１】
2012110261.tif 000013
【図１２】
2012110261.tif 000014
【図１３】
2012110261.tif 000015
【図１４】
2012110261.tif 000016
【図１５】
2012110261.tif 000017